(57)【特許請求の範囲】
【請求項１】
基板上に、反射電極を形成するステップと、
前記反射電極上に穴を有する所定の高さの隔壁を形成するステップと、
前記隔壁の穴内に、インク組成物を吐出し有機ＥＬ発光層を形成するステップと、
前記穴内の前記有機ＥＬ発光層上に、インク組成物を吐出し正孔注入層を形成するステップと、
前記有機ＥＬ発光部上に、透明電極を形成するステップと、
前記穴内の前記透明電極上にインク組成物を吐出しマイクロレンズを形成するステップと、
を有することを特徴とする有機ＥＬ露光ヘッドの製造方法。
【請求項２】
基板上に、反射電極を形成するステップと、
前記反射電極上に穴を有する所定の高さの隔壁を形成するステップと、
前記隔壁の穴内に、インク組成物を吐出し正孔注入層を形成するステップと、
前記穴内の前記正孔注入層上に、インク組成物を吐出し有機ＥＬ発光層を形成するステップと、
前記有機ＥＬ発光部上に、透明電極を形成するステップと、
前記穴内の前記透明電極上にインク組成物を吐出しマイクロレンズを形成するステップと、
を有することを特徴とする有機ＥＬ露光ヘッドの製造方法。
【請求項３】
前記透明電極を形成するステップの後に、前記透明電極の表面を撥水化処理するステップを設けることを特徴とする請求項１又は２記載の有機ＥＬ露光ヘッドの製造方法。
【請求項４】
前記透明電極を形成するステップの後に、前記透明電極の表面を親水化処理するステップを設けることを特徴とする請求項１又は２記載の有機ＥＬ露光ヘッドの製造方法。
【請求項５】
前記反射電極を形成するステップの前に、前記基板上に前記有機ＥＬ発光部を制御する簿膜電子回路を形成するステップを設けることを特徴とする請求項１から４の何れか１項記載の有機ＥＬ露光ヘッドの製造方法。
【請求項６】
請求項１から５の何れか１項記載の露光ヘッドの製造方法により製造された有機ＥＬ露光ヘッド。
【請求項７】
前記マイクロレンズは凸レンズであることを特徴とする請求項６記載の有機ＥＬ露光ヘッド。
【請求項８】
像担持体の周囲に帯電手段、請求項６又は７記載の露光ヘッド、現像手段、転写手段を配したシアン、マゼンタ、イエローと黒に対応する各画像形成ステーションを設けることを特徴とするタンデム方式のカラー画像形成装置。
【発明の詳細な説明】
【０００１】
【発明の属する技術分野】
本発明は、有機ＥＬアレイ露光ヘッドとその作製方法及びそれを用いた画像形成装置に関し、特に、結像レンズを一体化した有機ＥＬアレイ露光ヘッドとその作製方法並びにそれを用いた画像形成装置に関するものである。
【０００２】
【従来の技術】
従来、有機ＥＬアレイを画像形成装置用の露光ヘッドとして用いるものが種々提案されている。関係するものをあげると次の通りである。
【０００３】
特開平１０−５５８９０号においては、ガラス等の絶縁性基板上に有機ＥＬアレイを一括作製し、別体のドライバーＩＣを組み合わせ、有機ＥＬアレイの発光部を感光ドラム上に結像させるのに集光性ロッドレンズアレイを用いている。
【０００４】
特開平１１−１９８４３３号においては、複数列を持つワンチップ有機ＥＬアレイを用いるもので、その発光部を感光ドラム上に結像させる光学系は不明である。なお、有機ＥＬアレイのＥＬ層は蒸着により堆積している。
【０００５】
特開２０００−７７１８８においては、基板上面にインオ交換法でマイクロレンズを作成するか、基板裏面にフォトレジストを用いる方法あるいはレプリカ法でマイクロレンズを作成し、そのマイクロレンズに位置合わせて共振器構造を持つ有機ＥＬアレイを蒸着により堆積する。
【０００６】
特開平１０−１２３７７号はアクティブマトリックス型有機ＥＬ表示体の製造方法に関するもので、薄膜トランジスタを有するガラス基板上に有機発光層をインクジェット法により形成するものである。
【０００７】
特開２０００−３２３２７６においては、有機ＥＬ素子の正孔注入層、有機発光層を隔壁を設けてインクジェット法により塗布して形成するものである。
【０００８】
特開２００１−１８４４１においては、感光ドラム内部に発光層とその発光制御を行うＴＦＴ層を形成してプリンタを構成するものである。
【０００９】
【発明が解決しようとする課題】
以上の従来技術において、有機ＥＬアレイを電子写真方式等のプリンタの露光ヘッドに用いる場合、特開平１０−５５８９０号、特開平１１−１９８４３３号においては別体の光学系を用いる必要があり、大型化やコストアップは避けられない。また、マイクロレンズを一体化する特開２０００−７７１８８の場合は、マイクロレンズ材料に制約を受ける等の問題がある。さらに、これらにおいては、ＥＬ層を蒸着で形成するためＥＬ層の材料の選択性が狭い等の問題がある。
【００１０】
本発明は従来技術のこのような問題点に鑑みてなされたものであり、その目的は、発光部からの光を集光あるいは発散させるマイクロレンズを一体化した有機ＥＬアレイ露光ヘッドとその作製方法及びそれを用いた画像形成装置を提供することである。
【００１１】
【課題を解決するための手段】
上記目的を達成する本発明の有機ＥＬアレイ露光ヘッドは、長尺な基板の上に、少なくとも１列の画素状に配列された有機ＥＬ発光部のアレイを備え、各有機ＥＬ発光部上の前記基板と反対側表面にインクジェット法により形成されたマイクロレンズを備えていることを特徴とするものである。
【００１２】
この場合に、有機ＥＬ発光部各々は、基板上に設けられた隔壁によって仕切られた飛び飛びの穴内に形成され、マイクロレンズは各穴の有機ＥＬ発光部の上に形成されていることが望ましい。
【００１３】
また、基板上には、有機ＥＬ発光部の発光制御用の薄膜電子回路が形成され、その上に有機ＥＬ発光部を備えているものとすることが望ましい。
【００１４】
また、有機ＥＬ発光部を構成する有機発光層及び正孔注入層もインクジェット法により形成することができる。
【００１５】
また、マイクロレンズは凸レンズであることが望ましい。
【００１６】
本発明の有機ＥＬアレイ露光ヘッドの作製方法は、長尺な基板の上に、各有機ＥＬ発光部を構成する一方の電極を構成する反射電極を少なくとも１列の画素状に形成し、
次いで、前記反射電極上に対応した飛び飛びの穴を有する所定の高さの隔壁を形成し、前記隔壁の穴中に、各有機ＥＬ発光部を構成する有機発光層あるいは正孔注入層をインクジェット法により形成し、
次いで、前記隔壁の穴中に、各有機ＥＬ発光部を構成する正孔注入層あるいは有機発光層をインクジェット法により形成し、
次いで、前記基板の表面に一様に各有機ＥＬ発光部を構成する他方の電極として透明電極を形成し、
その後、前記隔壁の穴中の前記透明電極の上にインクジェット法によりマイクロレンズを形成することを特徴とする方法である。
【００１７】
この場合、透明電極を形成した後に、その表面を撥水化処理して凸レンズを形成するようにしても、その表面を親水化処理して凹レンズを形成するようにしてもよい。
【００１８】
また、反射電極の形成に先立って、基板上に有機ＥＬ発光部の発光制御用の薄膜電子回路を形成することが望ましい。
【００１９】
本発明は、以上のような有機ＥＬアレイ露光ヘッドを像担持体に像を書き込むための露光ヘッドとして備えている画像形成装置を含むものであり、その１つとして、例えば、像担持体の周囲に帯電手段、露光ヘッド、現像手段、転写手段を配した画像形成ステーションを少なくとも２つ以上設け、転写媒体が各ステーションを通過することにより、カラー画像形成を行うタンデム方式のカラー画像形成装置がある。
【００２０】
本発明においては、長尺な基板の上に、少なくとも１列の画素状に配列された有機ＥＬ発光部のアレイを備え、各有機ＥＬ発光部上の基板と反対側表面にインクジェット法により形成されたマイクロレンズを備えているので、電子写真方式プリンタ等の露光ヘッドとして露光むらが少なく、簡単な構成で、別体の光学系を必要とせず、安価なものを簡単に提供することができる。
【００２１】
【発明の実施の形態】
以下、本発明の有機ＥＬアレイ露光ヘッドの実施例をその作製方法に基づいて説明する。
【００２２】
図１は、本発明に基づく有機ＥＬアレイ露光ヘッドの１実施例の模式的な平面図であり、図２に図１の直線Ａ−Ａ’に沿うアレイの１画素の断面図を示す。
【００２３】
この実施例の有機ＥＬアレイ露光ヘッド１は、２列のアレイ２、２’が平行で相互の画素が千鳥状になるように配列されたもので、各アレイ２、２’は直線状に配置された多数の画素３からなり、各画素３の構成は同じで、有機ＥＬ発光部４とその有機ＥＬ発光部４の発光を制御するＴＦＴ５とからなる。
【００２４】
図２に１画素３の有機ＥＬ発光部４とＴＦＴ５とを含む断面図を示すが、その作製順に説明する。ガラス基板６上にまずＴＦＴ５を作製する。ＴＦＴ５の作製方法を種々知られているが。例えば、ガラス基板６上に最初にシリコン酸化膜を堆積し、さらにアモルファスシリコン膜を堆積する。次に、このアモルファスシリコン膜に対してエキシマレーザ光を照射して結晶化を行い、チャネルとなるポリシリコン膜を形成する。このポリシリコン膜をパタニング後、ゲート絶縁膜を堆積し、さらに窒化タンタルからなるゲート電極を形成する。続いて、ＮチャンネルＴＦＴのソース・ドレイン部をリンのイオン注入により、ＰチャンネルＴＦＴのソース・ドレイン部をボロンのイオン注入によりそれぞれ形成する。イオン注入した不純物を活性化後、第１層間絶縁膜の堆積、第１コンタクトホールの開口、ソース線の形成、第２層間絶縁膜の堆積、第２コンタクトホールの開口、金属画素電極の形成を順次行い、ＴＦＴ５のアレイが完成する（例えば、第８回電子ディスプレイ・フォーラム（２００１．４．１８）「高分子型有機ＥＬディスプレイ」参照。）。ここで、この金属画素電極は、有機ＥＬ発光部４の陰極７となるもので、有機ＥＬ発光部４の反射層を兼用するものであり、Ｍｇ、Ａｇ、Ａｌ、Ｌｉ等の金属薄膜電極で形成される。
【００２５】
次いで、有機ＥＬ発光部４に対応する穴８を有し所定の高さの隔壁（バンク）９を形成する。この隔壁９は、特開２０００−３５３５９４に開示されているように、フォトリソグラフィ法や印刷法等、任意の方法で作成することができる。例えば、リソグラフィ法を使用する場合は、スピンコート、スプレーコート、ロールコート、ダイコート、ディップコート等所定の方法でバンクの高さに合わせて有機材料を塗布し、その上にレジスト層を塗布する。そして、隔壁９形状に合わせてマスクを施し、レジストを露光・現像することにより隔壁９形状に合わせたレジストを残す。最後に隔壁材料をエッチングしてマスク以外の部分の隔壁材料を除去する。また、下層が無機物で上層が有機物で構成された２層以上でバンク（凸部）を形成してもよい。また、特開２０００−３２３２７６に開示されているように、隔壁９を構成する材料としては、ＥＬ材料の溶媒に対し耐久性を有するものえあれば特に限定されないが、フロロカーボンガスプラズマ処理によりテフロン化できることから、例えばアクリル樹脂、エポキシ樹脂、感光性ポリイミド等の有機材料が好ましい。液状ガラス等の無機材料を下層にした積層隔壁であってもよい。また、隔壁９は、上記材料にカーボンブラック等を混入してブラックあるいは不透明にすることが望ましい。
【００２６】
次いで、有機ＥＬの発光層用インク組成物を塗布する直前に、隔壁９を設けた基板を酸素ガスとフロロカーボンガスプラズマの連続プラズマ処理を行う。これにより例えば隔壁９を構成するポリイミド表面は撥水化、陰極７表面は親水化され、インクジェット液滴を微細にパターニングするための基板側の濡れ性の制御ができる。プラズマを発生する装置としては、真空中でプラズマを発生する装置でも、大気中でプラズマを発生する装置でも同様に用いることができる。
【００２７】
次に、隔壁９の穴８内に発光層用のインク組成物をインクジェット方式プリント装置２０のヘッド２１から吐き出し、各画素の陰極７上にパターニング塗布を行う。塗布後、溶媒を除去し、熱処理して発光層１０を形成する。
【００２８】
ここで、本発明で言うインクジェット方式とは、圧電素子等の機械的エネルギーを利用してインク組成物を吐き出すピエゾジェット方式、ヒータの熱エネルギーを利用して気泡を発生させ、その気泡の生成に基づいてインク組成物を吐き出すサーマル方式の何れでもよい（（社）日本写真学会・日本画像学会合同出版委員会編「ファインイメージングとハードコピー」１９９９．１．７発行（（株）コロナ社）ｐ．４３）。図３に、ピエゾジェット方式のヘッドの構成例を示す。インクジェット用ヘッド２１は、例えばステンレス製のノズルプレート２２と振動板２３とを備え、両者は仕切部材（リザーバープレート）２４を介して接合されている。ノズルプレート２２と振動板２３との間には、仕切部材２４によって複数のインク室２５と液溜り（不図示）とが形成されている。インク室２５及び液溜りの内部はインク組成物で満たされており、インク室２５と液溜りとは供給口を介して連通している。さらに、ノズルプレート２２には、インク室２５からインク組成物をジェト状に噴射するためのノズル孔２６が設けられている。一方、インクジェット用ヘッド２１には、液溜りにインク組成物を供給するためのインク導入孔が形成されている。また、振動板２３のインク室２５に対向する面と反対側の面上には、インク室２５の位置に対応させて圧電素子２８が接合されている。この圧電素子２８は一対の電極２９の間に位置し、通電すると圧電素子２８が外側に突出するように撓曲する。これによってインク室２５の容積が増大する。したがって、インク室２５内に増大した容積分に相当するインク組成物が液溜りから供給口を介して流入する。次に、圧電素子２８への通電を解除すると、圧電素子２８と振動板２３は共に元の形状に戻る。これにより空間２５も元の容積に戻るためインク室２５内部のインク組成物の圧力が上昇し、ノズル孔２６から隔壁９を設けた基板に向けてインク組成物が噴出するものである。
【００２９】
穴８内に発光層１０を形成した後、正孔注入層用インク組成物を穴８内の発光層１０上にインクジェットプリント装置２０のヘッド２１から吐き出し、各画素の発光層１０上にパターニング塗布を行う。塗布後、溶媒を除去し、熱処理して正孔注入層１１を形成する。
【００３０】
なお、以上の発光層１０と正孔注入層１１の順番は反対であってもよい。水分に対してより耐性のある層を表面側（基板６からより離れた側）に配置するようにすることが望ましい。
【００３１】
また、発光層１０と正孔注入層１１は、上記のようにインクジェット方式でインク組成物を塗布することにより作成する代わりに、公知のスピンコート法、ディップ法あるいは蒸着法で作成することもできる。
【００３２】
また、発光層１０に用いる材料、正孔注入層１１に用いる材料については、例えば、特開平１０−１２３７７号、特開２０００−３２３２７６等デ公知の種々のものが利用でき、詳細は省く。
【００３３】
隔壁９の穴８内に発光層１０と正孔注入層１１を順に形成した後、基板の表面全面に真空蒸着法により有機ＥＬの陽極となる透明電極１２を被着させる。この透明電極１２の材料としては、酸化すず膜、ＩＴＯ膜、酸化インジウムと酸化亜鉛との複合酸化物膜等があり、真空蒸着法以外に、フォトリソグラフィ法やスパッタ法、パイロゾル法等が採用できる。このような方法により、隔壁９の上面と穴８の内面全面に透明電極１２が形成される。
【００３４】
次いで、透明電極１２表面を撥水処理し、隔壁９の穴８内にマイクロレンズ用の透明インク組成物をインクジェット方式プリント装置２０のヘッド２１から吐き出し、パターニング塗布を行い、塗布後硬化させて、各画素の有機ＥＬ発光部４上に凸マイクロレンズ１３を形成する。凸マイクロレンズ１３の表面の曲率半径、すなわち、焦点距離は、インク組成物の吐き出し量、穴８の径、マイクロレンズ用透明インク組成物の表面張力、透明電極１２に対する撥水性の度合い、インク組成物の硬化の際の収縮量等で決まる。
【００３５】
なお、透明電極１２表面を親水処理した後に透明インク組成物を同様にパターニング塗布を行うことにより、図４に示すように、各画素の有機ＥＬ発光部４上に凹マイクロレンズ１４を形成することもできる。
【００３６】
ところで、上記のような陰極７／発光層１０／正孔注入層１１／透明電極（陽極）１２からなる有機ＥＬ発光部４は水分により劣化しやすいものである。水分の侵入を防止するために、図５（ａ）に示すように、マイクロレンズ１３又は１４形成後に基板の表面全面に透明保護層１５を塗布することが望ましい。透明保護層１５の材料としては、例えば、エポキシ樹脂、アクリル樹脂、液状ガラス等を用いることができる。
【００３７】
また、図５（ｂ）に示すように、マイクロレンズ１３又は１４形成後に基板の表面をカバーガラス１６で密閉し、内部の空間に窒素等のガス１７を封入し、さらに、その空間内に乾燥剤１８を入れておくようにしてもよい。
【００３８】
以上のように、基板上６上に有機ＥＬ発光部４のアレイが設けられ、かつ、各有機ＥＬ発光部４の発光制御用のＴＦＴ５のアレイが設けられ、各有機ＥＬ発光部４上にインクジェット方式で所定の焦点距離の凸マイクロレンズ１３が形成された本発明の有機ＥＬアレイ露光ヘッド１は、図６に側面図を示すように、有機ＥＬアレイ露光ヘッド１から所定距離Ｌだけ離れた面Ｓ上に、有機ＥＬアレイ露光ヘッド１の画素３配列と同じ配列パターンで各有機ＥＬ発光部４からの発光光束を集光する。したがって、有機ＥＬアレイ露光ヘッド１の長手方向に直交する方向にこの面Ｓを相対的に移動させ、かつ、有機ＥＬアレイ露光ヘッド１の各有機ＥＬ発光部４の発光をＴＦＴ５により制御することで、面Ｓ上に所定のパターンを記録することができる。
【００３９】
そこで、本発明においては、上記のような本発明の有機ＥＬアレイ露光ヘッド１を例えば電子写真方式のカラー画像形成装置の露光ヘッドに用いることにする。図７は、本発明の同様な４個の有機ＥＬアレイ露光ヘッド１Ｋ、１Ｃ、１Ｍ、１Ｙを対応する同様の４個の感光体ドラム４１Ｋ、４１Ｃ、４１Ｍ、４１Ｙの露光位置にそれぞれ配置したタンデム方式のカラー画像形成装置の１例の全体の概略構成を示す正面図である。図７に示すように、この画像形成装置は、駆動ローラ５１と従動ローラ５２とテンションローラ５３とでテンションを加えて張架されて、図示矢印方向（反時計方向）へ循環駆動される中間転写ベルト５０を備え、この中間転写ベルト５０に対して所定間隔で配置された４個の像担持体としての外周面に感光層を有する感光体４１Ｋ、４１Ｃ、４１Ｍ、４１Ｙが配置される。符号の後に付加されたＫ、Ｃ、Ｍ、Ｙはそれぞれ黒、シアン、マゼンタ、イエローを意味し、それぞれ黒、シアン、マゼンタ、イエロー用の感光体であることを示す。他の部材についても同様である。感光体４１Ｋ、４１Ｃ、４１Ｍ、４１Ｙは中間転写ベルト５０の駆動と同期して図示矢印方向（時計方向）へ回転駆動されるが、各感光体４１（Ｋ、Ｃ、Ｍ、Ｙ）の周囲には、それぞれ感光体４１（Ｋ、Ｃ、Ｍ、Ｙ）の外周面を一様に帯電させる帯電手段（コロナ帯電器）４２（Ｋ、Ｃ、Ｍ、Ｙ）と、この帯電手段４２（Ｋ、Ｃ、Ｍ、Ｙ）により一様に帯電させられた外周面を感光体４１（Ｋ、Ｃ、Ｍ、Ｙ）の回転に同期して順次ライン走査する本発明の上記のような有機ＥＬアレイ露光ヘッド１（Ｋ、Ｃ、Ｍ、Ｙ）と、この有機ＥＬアレイ露光ヘッド１（Ｋ、Ｃ、Ｍ、Ｙ）で形成された静電潜像に現像剤であるトナーを付与して可視像（トナー像）とする現像装置４４（Ｋ、Ｃ、Ｍ、Ｙ）と、この現像装置４４（Ｋ、Ｃ、Ｍ、Ｙ）で現像されたトナー像を一次転写対象である中間転写ベルト５０に順次転写する転写手段としての一次転写ローラ４５（Ｋ、Ｃ、Ｍ、Ｙ）と、転写された後に感光体４１（Ｋ、Ｃ、Ｍ、Ｙ）の表面に残留しているトナーを除去するクリーニング手段としてのクリーニング装置４６（Ｋ、Ｃ、Ｍ、Ｙ）とを有している。
【００４０】
ここで、各有機ＥＬアレイ露光ヘッド１（Ｋ、Ｃ、Ｍ、Ｙ）は、図６に示すように、各有機ＥＬ発光部４上にインクジェット方式で所定の焦点距離の凸マイクロレンズ１３が形成されてなるもので、対応する感光体４１（Ｋ、Ｃ、Ｍ、Ｙ）の表面から所定距離Ｌだけ離れて、有機ＥＬアレイ露光ヘッド１（Ｋ、Ｃ、Ｍ、Ｙ）のアレイ方向が感光体ドラム４１（Ｋ、Ｃ、Ｍ、Ｙ）の母線に沿うように設置される。そして、各有機ＥＬアレイ露光ヘッド１（Ｋ、Ｃ、Ｍ、Ｙ）の発光エナルギーピーク波長と感光体４１（Ｋ、Ｃ、Ｍ、Ｙ）の感度ピーク波長とは略一致するように設定されている。
【００４１】
現像装置４４（Ｋ、Ｃ、Ｍ、Ｙ）は、例えば、現像剤として非磁性一成分トナーを用いるもので、その一成分現像剤を例えば供給ローラで現像ローラへ搬送し、現像ローラ表面に付着した現像剤の膜厚を規制ブレードで規制し、その現像ローラを感光体４１（Ｋ、Ｃ、Ｍ、Ｙ）に接触あるいは押厚させて感光体４１（Ｋ、Ｃ、Ｍ、Ｙ）の電位レベルに応じて現像剤を付着させることによりトナー像として現像するものである。
【００４２】
このような４色の単色トナー像形成ステーションにより形成された黒、シアン、マゼンタ、イエローの各トナー像は、一次転写ローラ４５（Ｋ、Ｃ、Ｍ、Ｙ）に印加される一次転写バイアスにより中間転写ベルト５０上に順次一次転写され、中間転写ベルト５０上で順次重ね合わされてフルカラーとなったトナー像は、二次転写ローラ６６において用紙等の記録媒体Ｐに二次転写され、定着部である定着ローラ対６１を通ることで記録媒体Ｐ上に定着され、排紙ローラ対６２によって、装置上部に形成された排紙トレイ６８上へ排出される。
【００４３】
なお、図７中、６３は多数枚の記録媒体Ｐが積層保持されている給紙カセット、６４は給紙カセット６３から記録媒体Ｐを一枚ずつ給送するピックアップローラ、６５は二次転写ローラ６６の二次転写部への記録媒体Ｐの供給タイミングを規定するゲートローラ対、６６は中間転写ベルト５０との間で二次転写部を形成する二次転写手段としての二次転写ローラ、６７は二次転写後に中間転写ベルト５０の表面に残留しているトナーを除去するクリーニング手段としてのクリーニングブレードである。
【００４４】
なお、図７で用いる有機ＥＬアレイ露光ヘッド１（Ｋ、Ｃ、Ｍ、Ｙ）は、図２に示すように、各有機ＥＬ発光部４上にインクジェット方式で所定の焦点距離の凸マイクロレンズ１３が形成されてなるものであるが、図４に示すように、各有機ＥＬ発光部４上に凹マイクロレンズ１４が形成されてなるものを用いる場合、あるいは、凸マイクロレンズ１３を用いるものであっても、前記の離間距離Ｌが短い場合には、図８に示すように、有機ＥＬアレイ露光ヘッド１（Ｋ、Ｃ、Ｍ、Ｙ）と感光体ドラム４１（Ｋ、Ｃ、Ｍ、Ｙ）の間に例えば集光性ロッドレンズアレイからなる結像光学系１９を配置するようにすることが望ましい。
【００４５】
以上、本発明の有機ＥＬアレイ露光ヘッドとその作製方法及びそれを用いた画像形成装置を実施例に基づいて説明したが、本発明はこれら実施例に限定されず種々の変形が可能である。
【００４６】
【発明の効果】
以上の説明から明らかなように、本発明の有機ＥＬアレイ露光ヘッドとその作製方法及びそれを用いた画像形成装置によると、長尺な基板の上に、少なくとも１列の画素状に配列された有機ＥＬ発光部のアレイを備え、各有機ＥＬ発光部上の基板と反対側表面にインクジェット法により形成されたマイクロレンズを備えているので、電子写真方式プリンタ等の露光ヘッドとして露光むらが少なく、簡単な構成で、別体の光学系を必要とせず、安価なものを簡単に提供することができる。
【図面の簡単な説明】
【図１】本発明に基づく有機ＥＬアレイ露光ヘッドの１実施例の模式的な平面図である。
【図２】図１のアレイの１画素の断面図である。
【図３】インクジェット方式中のピエゾジェット方式のヘッドの構成例を示す図である。
【図４】各画素の有機ＥＬ発光部上に凹マイクロレンズを形成したもののアレイの１画素の断面図である。
【図５】水分の侵入を防止するため構成例の断面図である。
【図６】本発明による有機ＥＬアレイ露光ヘッドの集光の様子を示す側面図である。
【図７】本発明の有機ＥＬアレイ露光ヘッドを配置したタンデム方式のカラー画像形成装置の１例の全体の概略構成を示す正面図である。
【図８】有機ＥＬアレイ露光ヘッドと感光体ドラムの間に集光性ロッドレンズアレイからなる結像光学系を配置する例を示す図である。
【符号の説明】
１…有機ＥＬアレイ露光ヘッド
１（Ｋ、Ｃ、Ｍ、Ｙ）…有機ＥＬアレイ露光ヘッド
２、２’…アレイ
３…画素
４…有機ＥＬ発光部
５…ＴＦＴ
６…ガラス基板
７…金属画素電極（陰極）
８…穴
９…隔壁（バンク）
１０…発光層
１１…正孔注入層
１２…透明電極
１３…凸マイクロレンズ
１４…凹マイクロレンズ
１５…透明保護層
１６…カバーガラス
１７…ガス
１８…乾燥剤
１９…結像光学系
２０…インクジェット方式プリント装置
２１…ヘッド
２２…ノズルプレート
２３…振動板
２４…仕切部材（リザーバープレート）
２５…インク室
２６…ノズル孔
２８…圧電素子
２９…電極
４１（Ｋ、Ｃ、Ｍ、Ｙ）…感光体ドラム
４２（Ｋ、Ｃ、Ｍ、Ｙ）…帯電手段（コロナ帯電器）
４４（Ｋ、Ｃ、Ｍ、Ｙ）…現像装置
４５（Ｋ、Ｃ、Ｍ、Ｙ）…一次転写ローラ
４６（Ｋ、Ｃ、Ｍ、Ｙ）…クリーニング装置
５０…中間転写ベルト
５１…駆動ローラ
５２…従動ローラ
５３…テンションローラ
６１…定着ローラ対
６２…排紙ローラ対
６３…給紙カセット
６４…ピックアップローラ
６５…ゲートローラ対
６６…二次転写ローラ
６７…クリーニングブレード
６８…排紙トレイ
Ｓ…面
Ｐ…記録媒体
【図１】
0004766218.tif 000002
【図２】
0004766218.tif 000003
【図３】
0004766218.tif 000004
【図４】
0004766218.tif 000005
【図５】
0004766218.tif 000006
【図６】
0004766218.tif 000007
【図７】
0004766218.tif 000008
【図８】
0004766218.tif 000009